(57)【要約】【課題】ベビーカーの回動自在に連結された２本のリンクの端部がなす角度に、指が挟み込まれてしまうのを防止するベビーカーの挟み込み防止部材を提供する。【解決手段】ベビーカーの挟み込み防止部材は、第１端部（８）を有する第１リンク（１）と、第２端部（９）を有する第２リンク（２）とを備え、前記第１端部（８）と前記第２端部（９）とが互いに回動軸（５）において回動可能に連結される。そして、挟み込み防止部材は、前記第１端部（８）に形成され前記回動軸（５）と直交する第１の円状面（６）と、前記第２端部（９）に形成され前記回動軸（５）と直交し前記第１の円状面（６）と密着する第２の円状面（７）とを備える。【選択図】図５
2009083844.tif 000002
【特許請求の範囲】
【請求項１】
第１端部（８）を有する第１リンク（１）と、第２端部（９）を有する第２リンク（２）とを備えるベビーカーの挟み込み防止部材であって、
前記第１端部（８）と前記第２端部（９）とが互いに回動軸（５）において回動可能に連結され、
前記第１端部（８）に形成され、前記回動軸（５）と直交する第１の円状面（６）と、
前記第２端部（９）に形成され、前記回動軸（５）と直交し、前記第１の円状面（６）と密着する第２の円状面（７）と、を備えることを特徴とするベビーカーの挟み込み防止部材。
【請求項２】
前記第１端部は、前記回動軸（５）と直交し前記第２端部（９）を収納する凹部（３）を有し、
前記第１の円状面（６）が、前記凹部（３）の両側の内面であって、
前記第２の円状面（７）が、前記凹部（３）の両側の内面と各々対面する、前記第２端部（９）の両側の面であることを特徴とする、請求項１に記載のベビーカーの挟み込み防止部材。
【請求項３】
前記第１の円状面（６）と前記第２の円状面（９）とが同心であることを特徴とする、請求項１または請求項２に記載のベビーカーの挟み込み防止部材。
【請求項４】
前記第１の円状面と前記第２の円状面（９）との円心が、前記回動軸（５）に位置することを特徴とする、請求項３に記載のベビーカーの挟み込み防止部材。
【請求項５】
前記第１リンク（１）と前記第２リンク（２）とのどちらか一方が、ベビーカーの手押し杆であって、他方がベビーカーの前脚或いは後脚であることを特徴とする、請求項１に記載のベビーカーの挟み込み防止部材。
【発明の詳細な説明】
【技術分野】
【０００１】
この発明は、折り畳み可能なベビーカーに係り、とりわけ、折り畳み操作中または展開操作中に、回動自在に連結された２本のリンクの端部がなす角度に、指が挟み込まれてしまうのを防止する挟み込み防止部材に関する。
【背景技術】
【０００２】
乳幼児を屋外に連れ出す場合に用いられるベビーカーのほとんどは、乳幼児を乗せる状態である展開状態から収納に適した折り畳み状態へ折り畳むことができるようになっている。
【０００３】
折り畳み可能なベビーカーにおいては、前脚や手押し杆等の各構成部材が回動自在に連結され、そして、各構成部材が回動することにより折り畳むことができるようになっている。
【発明の開示】
【発明が解決しようとする課題】
【０００４】
しかしながら、回動自在に連結された二つのリンク、例えば前脚と手押し杆の端部が角度に、指が挟み込まれてしまうといった不具合が生じる虞がある。
【０００５】
そこで、本発明は上記の点を考慮してなされたものであり、折り畳み操作中または展開操作中に、二つのリンクの端部がなす角度に指が挟み込まれてしまうことを防止することができるベビーカーの挟み込み防止部材を提供することを目的とする。
【課題を解決するための手段】
【０００６】
上記目的を達成するため、本発明のベビーカーの挟み込み防止部材は、第１端部（８）を有する第１リンク（１）と、第２端部（９）を有する第２リンク（２）とを備え、前記第１端部（８）と前記第２端部（９）とが互いに回動軸（５）において回動可能に連結され、そして、前記第１端部（８）に形成され前記回動軸（５）と直交する第１の円状面（６）と、前記第２端部（９）に形成され前記回動軸（５）と直交し前記第１の円状面（６）と密着する第２の円状面（７）と、を備える。
【０００７】
好ましくは、前記第１端部（８）は、前記回動軸（５）と直交し前記第２端部（９）を収納する凹部（３）を有し、そして、前記第１の円状面（６）が、前記凹部（３）の両側の内面であって、前記第２の円状面（７）が、前記凹部（３）の両側の内面と各々対面する、前記第２端部（９）の両側の面であるとよい。
【０００８】
好ましくは、前記第１の円状面（６）と前記第２の円状面（９）とが同心であるとよい。
【０００９】
好ましくは、前記第１の円状面と前記第２の円状面（９）との円心が、前記回動軸（５）に位置するとよい。
【００１０】
好ましくは、前記第１リンク（１）と前記第２リンク（２）とのどちらか一方が、ベビーカーの手押し杆であって、他方がベビーカーの前脚或いは後脚であるとよい。
【発明の効果】
【００１１】
回動可能に連結される二つのリンクは、互いに密着する二つの円状面によって回転する
ことで、この二つのリンクの端部がなす角度をなくし、指を挟み込まれてしまうことを防止することができる。
【発明を実施するための最良の形態】
【００１２】
以下、添付図面を参照して本発明の実施の形態について説明する。
【００１３】
図１及び図３は本発明の折り畳んだ状態及び展開状態を示す正視図であり、第１端部８を備える第１リンク１、第２端部９を備える第２リンク２によって挟み込み防止部材が構成されている。図２及び図４に示すように、上記第１端部８と第２端部９とは互いに回動軸５において回動可能に連結されていて、第1端部８には上記回動軸５にと直交する凹部３が形成されていて、第２端部９が上記凹部３に収納されている。
【００１４】
また、図５は本発明の展開状態を示す斜視図であり、凹部３の両側の内面が回動軸５と直交する第１の円状面６として形成されていて、第２端部９の両側の面が各々上記第１の円状面６と密着する第２の円状面７として形成されている。
【００１５】
さらに、上記第１の円状面６と第２の円状面７とは同心であって、円心が前記回動軸５に位置されている。
【００１６】
図６及び図７に示すように、第1リンク１はベビーカーの手押し杆であって、第２リンク２がベビーカーの前脚である。なお、第1リンク１がベビーカーの手押し杆であって、第２リンク２がベビーカーの後脚であってもよい。上記のように、互いに密着する上記二つの円状面によって回転することで、二つのリンクの端部がなす角度をなくし、指が挟み込まれてしまうことを防止することができる。
【図面の簡単な説明】
【００１７】
【図１】本発明の折り畳んだ状態を示す正視図。
【図２】本発明の折り畳んだ状態を示す側面図。
【図３】本発明の展開状態を示す正視図。
【図４】本発明の展開状態を示す側面図。
【図５】本発明の展開状態を示す斜視図。
【図６】本発明を使うベビーカーの第１の実施の形態を示す斜視図。
【図７】本発明を使うベビーカーの第２の実施の形態を示す斜視図。
【符号の説明】
【００１８】
１・・・第１リンク
２・・・第２リンク
３・・・凹部
５・・・回動軸
６・・・第１の円状面
７・・・第２の円状面
８・・・第１端部
９・・・第２端部
【図１】
2009083844.tif 000003
【図２】
2009083844.tif 000004
【図３】
2009083844.tif 000005
【図４】
2009083844.tif 000006
【図５】
2009083844.tif 000007
【図６】
2009083844.tif 000008
【図７】
2009083844.tif 000009